(57)【要約】      （修正有）【課題】ヘッドボード等を壁に最大限近付けた状態で取り付けることができる照明装置を提供すること。【解決手段】Ｌ字状の本体２と、この本体２に取り付けられた灯具３と、前記本体２をヘッドボードＨ等に固定するための固定部４とを有する照明装置１であって、前記固定部４を、挟持部２９と摺動部３０とを有するＬ字金具２８と、前記挟持部２９と対向する押圧部１０と、この押圧部１０を後方へ付勢する付勢手段としてのコイルバネ１１と、前記Ｌ字金具２８の後方への移動を阻止するラチェット機構３２とで構成する。そして、前記挟持部２９と押圧部１０で前記ヘッドボードＨ等を挟持するように、前記本体２を前記Ｌ字金具２８に対して動かすことで、前記照明装置１が前記ヘッドボード等に取り付けられる。そして、前記ラチェット機構３２を採用したことで、前記挟持部２９以外を前記ヘッドボード等の背面側に突出させないようにすることができる。【選択図】図４
0003140490.tif 000002
【実用新案登録請求の範囲】
【請求項１】
Ｌ字状の本体と、この本体に取り付けられた灯具と、前記本体を被固定部に固定するための固定部とを有する照明装置において、
前記固定部が、挟持部と摺動部とを有するＬ字状の金具と、この金具の挟持部と対向する押圧部と、前記押圧部を前記挟持部側へ付勢する付勢手段と、前記金具の前記押圧部側への移動を可能にすると共に反押圧部側への移動を阻止するラチェット機構とを有して構成されることを特徴とする照明装置。
【請求項２】
前記金具の挟持部を前記押圧部に最も近付けた状態で、前記挟持部の後端が前記本体の後端と同じか又は前記本体の後端よりも後方に位置するように構成されることを特徴とする請求項１記載の照明装置。
【請求項３】
前記押圧部の前記挟持部側にスペーサが着脱自在に取り付けられることを特徴とする請求項１乃至２記載の照明装置。
【請求項４】
前記挟持部の反押圧部側の面に、保護部材が設けられていることを特徴とする請求項１乃至３記載の照明装置。
【考案の詳細な説明】
【技術分野】
【０００１】
本考案は、他の物体に固定される照明装置に関するものであり、特に、ベッド等に固定される照明装置に関するものである。
【背景技術】
【０００２】
従来より、ベッドは、そのヘッドボード部分に照明装置が組み込まれているものがあった（例えば、特許文献１参照。）。しかしながら、前記ヘッドボードが単純な厚板となっているだけのベッドやパイプベッドは、通常、照明装置が組み込まれていない。従って、このようなベッドを用いる場合、使用者は、別途、照明装置を用意する必要があった。そして、このような用途に用いられる照明装置として、前記ヘッドボード等を挟持するためのクランプ台に照明装置を取り付ける構造のものが知られている（例えば、特許文献１参照。）。そして、このような照明装置は、前記クランプ台を締め付けるための締付ボルトを突出させないようにすることで、前記ヘッドボード等を壁に近接させることができる。
【特許文献１】特開２００４−１６５０８４号公報
【特許文献２】特開平１０−６９８０７号公報
【考案の開示】
【考案が解決しようとする課題】
【０００３】
しかしながら、このような照明装置においては、突出量を小さくすることができるとは言うものの、前記締付ボルトが必ず突出するので、前記照明装置のクランプ台が取り付けられる前記ヘッドボード等を壁に近付けることにも限界がある。従って、このような照明装置を用いる場合、前記クランプ台が取り付けられるヘッドボード等と壁との間に、少なくとも前記締付ボルトの突出量分の隙間を設ける必要がある。また、このような照明装置を前記ヘッドボード等に取り付ける場合、前記締付ボルトを手で回すための空間が前記ヘッドボード等の背後に必要である。従って、実際には、前記クランプ台が取り付けられるヘッドボード等と壁との間には、大きな間隔を空けておく必要があった。なお、前記クランプ台を前記ヘッドボード等に取り付けた後で、ベッドを動かして、前記クランプ台が取り付けられたヘッドボード等を壁に近付けるという方法も考えられる。しかしながら、この場合、前記クランプ台が弛んでしまうと、その度にベッドを動かして前記締付ボルトを締め直さなければならないという問題が生ずる。また、ベッドを動かす際に、前記締付ボルトを壁に衝突させてしまうと、壁に傷が付いてしまうという問題があった。前記締付ボルトを正面側に設ければ、このような問題は生じないが、美観上の問題が生ずるばかりでなく、衣服等を前記締付ボルトに引っ掛けてしまう虞が生ずる。
【０００４】
本考案は以上の問題点を解決し、ヘッドボード等に取り付けた際に、ヘッドボード等を壁に最大限近付けさせることができる照明装置を提供することを目的とする。
【課題を解決するための手段】
【０００５】
本考案の請求項１に記載の照明装置は、Ｌ字状の本体と、この本体に取り付けられた灯具と、前記本体を被固定部に固定するための固定部とを有する照明装置において、前記固定部が、挟持部と摺動部とを有するＬ字状の金具と、この金具の挟持部と対向する押圧部と、前記押圧部を前記挟持部側へ付勢する付勢手段と、前記金具の前記押圧部側への移動を可能にすると共に反押圧部側への移動を阻止するラチェット機構とを有して構成されるものである。
【０００６】
また、本考案の請求項２に記載の照明装置は、請求項１において、前記金具の挟持部を前記押圧部に最も近付けた状態で、前記挟持部の後端が前記本体の後端と同じか又は前記本体の後端よりも後方に位置するように構成されるものである。
【０００７】
また、本考案の請求項３に記載の照明装置は、請求項１乃至２において、前記押圧部の前記挟持部側にスペーサが着脱自在に取り付けられるものである。
【０００８】
更に、本考案の請求項４に記載の照明装置は、請求項１乃至３において、前記挟持部の反押圧部側の面に保護部材が設けられているものである。
【考案の効果】
【０００９】
本考案の請求項１に記載の照明装置は、以上のように構成することにより、前記金具の挟持部と前記押圧部とでベッドのヘッドボード等を挟むように配置し、前記挟持部と押圧部とが近づくように前記金具と前記本体を相対的に動かすことで、前記付勢手段によって付勢された押圧部と前記挟持部とによって、ヘッドボード等を挟持する。このように、前記押圧部と挟持部とでヘッドボード等を挟持することで、前記照明装置はヘッドボード等に取り付けられる。そして、前記金具の反押圧部側への移動が前記ラチェット機構によって阻止されるため、従来用いられていた締付ボルトが不要となるので、前記金具以外のものがヘッドボード等の背面側に突出することがない。これによって、前記照明装置を取り付けるためのヘッドボード等と壁の距離を小さくすることができる。
【００１０】
また、前記金具の挟持部を前記押圧部に最も近付けた状態で、前記本体の後端が前記挟持部の後端よりも後方に突出しないので、前記照明装置を取り付けるためのヘッドボード等を、壁に最大限近付けることができる。
【００１１】
また、前記押圧部の前記挟持部側にスペーサが着脱自在に取り付けられるので、ヘッドボード等が薄い場合でも、前記押圧部にスペーサを取り付け、このスペーサと前記挟持部とでヘッドボード等を挟持することで、前記付勢手段の付勢力を充分に利用して確実に前記照明装置をヘッドボード等に取り付けることができる。
【００１２】
更に、前記挟持部の反押圧部側の面に保護部材を設けたことで、壁に前記挟持部が押し付けられても、この挟持部が壁を傷めてしまうことを防止できる。これによって、ヘッドボード等と壁の間に前記挟持部の厚さ分だけ隙間を設けた状態で、前記挟持部をこの隙間に差し込んで、前記本体をヘッドボード等に押し付けたとしても、壁を傷つけることなく、前記照明装置をヘッドボード等に取り付けることができる。
【考案を実施するための最良の形態】
【００１３】
以下、本考案の実施形態について、図１乃至図６に基づいて説明する。なお、本実施形態では、図１乃至図３の姿勢を基準として、前後及び上下を規定する。即ち、図２においては、上が後、下が前である。また、図３においては、右が前、左が後である。
【００１４】
１は本考案の照明装置である。この照明装置１は、本体２と灯具３と固定部４とで構成されている。なお、前記灯具３は、前記本体２に対して枢支されている。
【００１５】
前記本体２のケーシング５は、垂直部６と水平部７とで逆Ｌ字状に形成されている。なお、この垂直部６及び水平部７という名称は便宜上命名したものである。前記垂直部６が水平で且つ前記水平部７が垂直となる姿勢で被固定部に前記照明装置１を取り付けたり、前記垂直部６と水平部７とが共に傾斜した状態の姿勢で被固定部に前記照明装置１を取り付けたりしても良いことは言うまでもない。
【００１６】
前記垂直部６は、後方が開放している。そして、前記垂直部６には、複数の筒状部８が前記水平部７と平行に設けられている。また、垂直部６には、主回路基板９が保持されている。そして、前記垂直部６には、押圧部１０が前後方向に移動可能に取り付けられている。なお、この押圧部１０は、付勢手段としての複数のコイルバネ１１によって、後方に付勢されている。また、このコイルバネ１１は、前端側が前記筒状部８内に位置すると共に、後端が前記押圧部１０の前面に当接している。更に、前記押圧部１０の後面には、防滑シート１２が貼り付けられている。なお、この防滑シート１２は、被固定部の傷付きを防止する役割も果たしている。
【００１７】
一方、前記水平部７の上面前部には、複数の貫通孔１３が形成されている。また、前記水平部７の内部には、透光性を有する材質から成る操作片１４が取り付けられている。この操作片１４には、弾性変形可能な腕部１５と、この腕部１５の先端に形成されると共に前記貫通孔１３から外部に露出する操作部１６と、前記腕部１５から下方に突出した押圧突部１７とを有して一体に形成されている。なお、これらの腕部１５と操作部１６と押圧突部１７は、前記貫通孔１３と同数形成されている。そして、前記水平部７の内部で且つ前記操作片１４の下方には、スイッチ基板１８が設けられている。このスイッチ基板１８には、前記押圧突部１７によって押されるスイッチ１９と、発光ダイオード２０が実装されている。なお、これらのスイッチ１９と発光ダイオード２０は、前記貫通孔１３と同数実装されている。また、前記水平部７の上面後部には、切欠部２１が形成されていると共に、前記水平部７の内部には、ラチェットアーム２２が枢支されている。なお、このラチェットアーム２２の後端には、指掛部２３が形成されていると共に、この指掛部２３は、前記切欠部２１から外部に露出している。そして、前記ラチェットアーム２２には、下方に突出した爪部２４が形成されている。なお、この爪部２４は、前方に垂直面２４Ａが形成されていると共に、後方に傾斜面２４Ｂが形成されている。また、この爪部２４を下方に付勢するためのコイルバネ２５が、前記水平部７内に設けられている。また、前記水平部７の後端には、開口部２６が設けられている。更に、前記水平部７の左側面には、電源コード２７が設けられている。
【００１８】
そして、前記水平部７の後部には、Ｌ字金具２８が取り付けられている。このＬ字金具２８は、水平な摺動部２９と、垂直な挟持部３０とで一体に形成されている。そして、前記摺動部２９は、前記水平部７内を前後方向に移動可能に構成されている。また、前記摺動部２９には、複数の係止孔３１が前後方向に等間隔に形成されている。そして、前記係止孔３１には、前記ラチェットアーム２２の爪部２４が係合可能となっている。そして、これらラチェットアーム２２とコイルバネ２５と係止孔３１とで、前記Ｌ字金具２８の前方への移動を可能にすると共に後方への移動を阻止するラチェット機構３２が構成される。一方、前記挟持部３０の前後両面には、保護部材としての防滑シート３３が貼り付けられている。なお、この防滑シート３３は、被固定部及び壁等の傷付きを防止する役割も果たしている。また、最も後方の係止孔３１と爪部２４とが係合した状態において、前記Ｌ字金具２８の挟持部３０に貼り付けられた防滑シート３３の後面は、前記本体２の水平部７の後端よりも後方となる。そして、これら押圧部１０とＬ字金具２８とラチェット機構３２とで、前記固定部４が構成される。
【００１９】
そして、前記水平部７の前端部で且つ前記垂直部６の前面上部には、関節部材３４が枢支されている。なお、この関節部材３４は、前記本体２のケーシング５に対して、前後方向に延びる軸Ｘを中心に回動可能に枢支されている。そして、前記関節部材３４には、前記灯具３が枢支されている。なお、この灯具３は、前記関節部材３４に対して、軸Ｘと直交する軸Ｙを中心に回動可能に枢支されている。
【００２０】
前記灯具３は、ケーシング３５と、透光部３６とを有して構成されている。そして、前記ケーシング３５内には、発光ダイオード３７と、レンズ３８と、放熱板３９が設けられている。また、前記灯具ケーシング３５には、多数の放熱孔４０が形成されている。
【００２１】
なお、前記押圧部１０の後部、即ち前記挟持部３０側には、スペーサ４１が取付可能となっている。そして、このスペーサ４１の後面には、防滑シート４２が貼り付けられている。なお、この防滑シート４２は、被固定部の傷付きを防止する役割も果たしている。
【００２２】
次に、本考案の作用について説明する。前記照明装置１をベッドのヘッドボードＨ等に取り付ける場合、まず使用者は、前記ラチェットアーム２２の指掛部２３に指を掛け、前記コイルバネ２５の付勢力に抗して、前記ラチェットアーム２２を上方に引き上げる。このように、前記ラチェットアーム２２を上方に引き上げると、前記爪部２４が上方に移動して、この爪部２４が前記係止孔３１から外れる。このように、前記爪部２４が前記係止孔３１から外れた状態とすることで、前記Ｌ字金具２８の摺動部２９は、前記本体２のケーシング５の水平部７に対して、前後両方向に移動可能となる。この状態で、使用者は、前記Ｌ字金具２８を後方に移動させ、前記押圧部１０の防滑シート１２から前記Ｌ字金具２８の挟持部３０の防滑シート４２迄の距離を、前記ヘッドボードＨ等の厚さＴよりも大きくした後、前記指掛部２３から指を離す。これによって、前記照明装置１が前記ヘッドボードＨ等に取付可能な状態となる。
【００２３】
そして、前記押圧部１０と挟持部３０とで前記ヘッドボードＨ等を挟み込むようにした後、前記挟持部３０が動かないように支えながら、前記本体２を前記ヘッドボードＨ等に押し付ける。この際、前記Ｌ字金具２８の摺動部２９は、前記水平部７に対して相対的に前方に移動する。そして、前記摺動部２９を前記水平部７に対して相対的に前方に移動させると、前記傾斜面２４Ｂに当接する前記係止孔３１の後上端縁が前記爪部２４、即ち前記ラチェットアーム２２を上方に押し上げるので、前記爪部２４が前記係止孔３１と係合していたとしても、前記Ｌ字金具２８の摺動部２９は、前記水平部７に対して相対的に前方に移動可能である。そして、前記押圧部１０の防滑シート１２が前記ヘッドボードＨ等の前面に当接した状態から、更に前記本体２を前記ヘッドボードＨ等に押し付けることで、前記押圧部１０は、前記コイルバネ１１の付勢力に抗して、前方、即ち反挟持部３０側に移動する。この状態から使用者が手を離すと、前記コイルバネ１１の付勢力によって、前記押圧部１０が前記ヘッドボードＨ等の前面に押し付けられる。一方、前記Ｌ字金具２８の摺動部２９は、前記爪部２４の垂直面２４Ａが前記係止孔３１の前縁に当接した状態となることで、前記水平部７に対して相対的に後方に移動不能となる。従って、前記コイルバネ１１の付勢力によって、前記ヘッドボードＨ等が前記押圧部１０と挟持部３０で挟持されるので、前記照明装置１は、前記ヘッドボードＨ等に取り付けられることになる。
【００２４】
なお、前記ヘッドボードＨ等の後面と壁Ｗ等の間に、前記防滑シート３３が貼り付けられた挟持部３０が挿入可能な最小限の隙間を空けた状態で、この隙間に前記挟持部３０を挿入し、前記本体２を前記ヘッドボードＨ等に押し付けるだけで、前記照明装置１は、ベッド等を動かすことなく、前記ヘッドボードＨ等に取り付けられる。この際、前記挟持部３０は前記壁Ｗに軽く押し付けられることになるが、前述したように、前記挟持部３０の背面に保護部材としての前記防滑シート３３が貼り付けられていることから、前記壁Ｗを傷つけることがない。
【００２５】
また、ヘッドボードＨ´等の厚さＴ´が薄過ぎる場合、前記押圧部１０と挟持部３０とで前記ヘッドボードＨ´等を挟持することができないことがあり得る。この場合、前記押圧部１０の後部、即ち前記挟持部３０側に、前記スペーサ４１を取り付ける。そして、このスペーサ４１の防滑シート４２から前記Ｌ字金具２８の挟持部３０の防滑シート４２迄の距離を、前記ヘッドボードＨ´等の厚さＴ´よりも大きくし、前記スペーサ４１と挟持部３０とで前記ヘッドボードＨ´等を挟み込むようにした後、前記挟持部３０が動かないように支えながら、前記本体２を前記ヘッドボードＨ´等に押し付けることで、前記コイルバネ１１の付勢力によって、前記ヘッドボードＨ´等が前記スペーサ４１と挟持部３０で挟持されるので、前記照明装置１は、前記ヘッドボードＨ´等に取り付けられることになる。
【００２６】
このようにして前記ヘッドボードＨ又はＨ´に取り付けられた前記照明装置１の図示しない電源プラグを、同じく図示しないコンセントに接続する。そして、前記灯具２を、軸Ｘ，Ｙ周りに任意に回動させる。そして、前記操作部１６を押圧することで、前記押圧突部１７によって前記スイッチ１９が押圧され、前記主回路基板９上の点灯回路によって、前記発光ダイオード３７が発光する。そして、この発光ダイオード３７の発した光は、前記レンズ３８及び透光部３６を通って外部に放射される。なお、前記発光ダイオード３７の消灯時等に、前記発光ダイオード２０が点灯する。この発光ダイオード２０の発した光は、透光性を有する前記操作片１４を通って前記操作部１６を発光させる。従って、周囲が暗い状態であっても、前記操作部１６の位置を知ることができる。
【００２７】
以上のように、本考案は、Ｌ字状の本体２と、この本体２に取り付けられた灯具３と、前記本体２をヘッドボードＨ等に固定するための固定部４とを有する照明装置１であって、前記固定部４を、挟持部２９と摺動部３０とを有するＬ字金具２８と、前記挟持部２９と対向する押圧部１０と、この押圧部１０を前記挟持部２９側へ付勢する付勢手段としてのコイルバネ１１と、前記Ｌ字金具２８の前記押圧部１０側への移動を可能にすると共に反押圧部１０側への移動を阻止するラチェット機構３２とで構成したことで、前記挟持部２９と押圧部１０とでヘッドボードＨ等を挟み、前記挟持部２９と押圧部１０とが近づくように前記本体２を前記Ｌ字金具２８に対して動かすことで、前記コイルバネ１１によって付勢された押圧部１０と前記挟持部２９とによって、前記照明装置１を前記ヘッドボードＨ等に取り付けることができる。そして、前記ラチェット機構３２によって、前記Ｌ字金具２８の反押圧部１０側への相対的な移動が阻止されるので、従来用いられていた締付ボルトが不要となり、前記Ｌ字金具２８以外のものがヘッドボードＨ等の背面側に突出せず、前記照明装置１を取り付けるためのヘッドボードＨ等と壁Ｗの距離を小さくすることができる。
【００２８】
また、前記Ｌ字金具２８の挟持部２９を前記押圧部１０に最も近付けた状態で、前記本体２の後端が前記挟持部２９の後端よりも後方に突出しないので、前記照明装置１を取り付けるためのヘッドボードＨ等と壁Ｗの距離を最小限にすることができる。
【００２９】
また、前記押圧部１０の前記挟持部２９側にスペーサ４１が着脱自在に取り付けられるので、薄いヘッドボードＨ´等に前記照明装置１を取り付ける場合でも、前記押圧部１０に前記スペーサ４１を取り付け、このスペーサ４１と前記挟持部２９とで前記ヘッドボードＨ´等を挟持することで、前記付勢手段１１の付勢力を充分に利用して確実に前記照明装置１を前記ヘッドボードＨ´等に取り付けることができる。
【００３０】
更に、前記挟持部２９の反押圧部１０側の面に保護部材としての防滑シート３３を設けたことで、壁Ｗに前記挟持部２９が当接しても、この挟持部２９が壁を傷めてしまうことを防止できる。これによって、ヘッドボードＨ等と壁Ｗの間に前記挟持部２９と防滑シート３３の厚さ分だけ隙間を設けた状態で、前記挟持部２９をこの隙間に差し込んで、前記本体２を前記ヘッドボードＨ等に押し付けたとしても、前記挟持部２９が壁Ｗに当接して壁Ｗを傷つけることがない。従って、使用者の手の代わりに壁Ｗによって前記挟持部２９が動かないようにしながら、前記本体２を前記ヘッドボードＨ等に押し付けることで、簡単に前記照明装置１をヘッドボードＨ等に取り付けることができる。
【００３１】
なお、本考案は以上の実施形態に限定されるものではなく、考案の要旨の範囲内で種々の変形実施が可能である。例えば、上記実施形態では、係止孔が設けられた摺動部と爪部を有するラチェットアームとコイルバネとでラチェット機構を実現しているが、これら以外の組み合わせを用いてラチェット機構を実現しても良い。また、上記実施形態では、付勢手段として複数のコイルバネを用いたが、コイルバネ以外の付勢手段を用いても良く、また、単数であっても良い。
【図面の簡単な説明】
【００３２】
【図１】本考案の一実施例を示す照明装置の正面図である。
【図２】同、平面図である。
【図３】同、側面図である。
【図４】同、Ａ−Ａ断面図である。
【図５】同、厚いヘッドボードに取り付けた場合の使用状態を示す照明装置の側面図である。
【図６】同、薄いヘッドボードに取り付けた場合の使用状態を示す照明装置の側面図である。
【符号の説明】
【００３３】
１  照明装置
２  本体
３  灯具
４  固定部
１０  押圧部
１１  コイルバネ（付勢手段）
２８  Ｌ字金具
２９  摺動部
３０  挟持部
３２  ラチェット機構
３３  防滑シート（保護部材）
４１  スペーサ
Ｈ，Ｈ´  ヘッドボード（被固定部）
【図１】
0003140490.tif 000003
【図２】
0003140490.tif 000004
【図３】
0003140490.tif 000005
【図４】
0003140490.tif 000006
【図５】
0003140490.tif 000007
【図６】
0003140490.tif 000008